(57)【要約】      （修正有）【課題】ファクシミリ装置において、本体側の複数の動作状態の情報のうち、ユーザが所望の情報をコードレス子機毎に設定して各コードレス子機でモニタできるようする。【解決手段】ファクシミリ装置は、主制御部１３により画像読取部５〜無線通信制御部９の動作を複合的に制御してファクシミリ機能、プリンタ機能、コピー機能、スキャナ機能及びコードレス子機通話機能などの複数の機能が可能になっている。ファシクミリ装置は、装置本体２又は子機３で、ユーザが装置本体２の動作状態（用紙ジャム、マシンエラーなどのエラー発生、ファクシミリ送受信完了、留守電の伝言受信など）を子機３毎に選択的に表示させる設定機能を備えている。子機３に対し、例えば装置本体２のエラー発生の表示が設定されていると、装置本体２でエラーが発生したとき、その情報が子機３に送信されて表示部３０４に表示され、ユーザは子機３でエラー発生をモニタすることができる。【選択図】図３
2007006329.tif 000002
【特許請求の範囲】
【請求項１】
回線に接続され、当該回線に接続された相手側との間で通話若しくはファクシミリ通信が可能な本体と、この本体に設けられた親機と無線により通話及びデータ通信が可能な少なくとも１の子機とを備えたコードレス子機付きファクシミリ装置であって、
本体の複数の動作状態のうち、前記子機から確認可能な動作状態の項目を設定する項目設定手段と、
前記本体に設けられ、前記本体の複数の動作状態に関する情報を生成する情報生成手段と、
前記情報生成手段により生成される前記本体の複数の動作状態に関する情報のうち、前記項目設定手段で設定された項目に該当する情報が生成されると、その動作状態に関する情報を前記子機に送信する情報送信手段と、
前記子機に設けられ、前記情報送信手段から送信された前記本体の複数の動作状態に関する情報を受信すると、その情報をユーザに報知するために当該情報の出力処理を行う情報出力手段と、
を備えたことを特徴とする、コードレス子機付きファクシミリ装置。
【請求項２】
前記項目設定手段は、
前記本体の複数の動作状態の項目を選択するためのメニュー画面を記憶する記憶手段と、
前記メニュー画面を表示手段に表示させるメニュー表示手段と、
前記表示手段に表示されたメニュー画面からユーザが所望の項目を選択するために操作する項目選択手段と、
からなることを特徴とする、請求項１に記載のコードレス子機付きファクシミリ装置。
【請求項３】
前記項目設定手段は、前記本体と前記子機のいずれか一方若しくは両方に設けられていることを特徴とする、請求項２に記載のコードレス子機付きファクシミリ装置。
【請求項４】
前記表示手段に表示される前記メニュー画面には、子機毎に前記本体の複数の動作状態の項目を個別に設定する第１の方法と、子機全体に対して同一の前記本体の複数の動作状態の項目を設定する第２の方法とが含まれ、ユーザは前記項目選択手段により前記第１又は第２の方法が選択可能であることを特徴とする、請求項２又は３に記載のコードレス子機付きファクシミリ装置。
【請求項５】
前記情報出力手段が行う情報の出力処理は、前記情報送信手段から送信された前記本体の複数の動作状態に関する情報を表示手段に文字若しくは記号により表示する処理と、発音手段により前記情報に対応する音声を出力する処理のいずれか一方若しくは両方の処理であることを特徴とする、請求項１〜４のいずれかに記載のコードレス子機付きファクシミリ装置。
【請求項６】
前記本体は、
画像データを取得する画像データ取得部と、
前記回線を介して画像データを前記相手側に送信するファクシミリ送信部と、
前記回線を介して前記相手側から送信された画像データを受信するファクシミリ受信部と、
画像データを記録紙に印字する画像形成部と、
前記画像データ取得部、前記ファクシミリ送信部、前記ファクシミリ受信部及び前記画像形成部を複合的に用いた制御部として、
前記画像データ取得部で取得された画像データを前記ファクシミリ送信部により前記回線を介して前記相手側に送信するファクシミリ送信制御部と、
前記ファクシミリ受信部により前記回線を介して前記相手側から受信した画像データを前記画像形成部により記録紙に印字するファクシミリ受信制御部と、
を備えるとともに、
前記画像データ取得部、前記ファクシミリ送信部、前記ファクシミリ受信部、前記画像形成部及び前記制御部の各部で生じる動作エラーを検出するエラー検出手段と、
を備え、
前記子機から確認可能な動作状態の項目には、少なくとも前記エラー検出手段で検出される各部の動作エラー、前記ファクシミリ送信制御部による送信結果及び前記ファクシミリ受信制御部による受信結果が含まれることを特徴とする、請求項１〜５のいずれかに記載のコードレス子機付きファクシミリ装置。
【請求項７】
前記画像データ取得部には、少なくとも原稿を読み取り、画像データとして出力する原稿読取部と、外部接続された画像データ作成装置から伝送される画像データを受信する画像データ受信部とを含むとともに、
前記画像データ取得部、前記ファクシミリ送信部、前記ファクシミリ受信部及び前記画像形成部を複合的に用いた制御部として、
前記原稿読取部から出力される画像データ若しくは前記画像データ受信部により受信される画像データを前記画像形成部により記録紙に印字する印字制御部と、
前記画像データ受信部により受信された画像データを前記ファクシミリ送信部により前記回線を介して前記相手側に送信する第２のファクシミリ送信制御部と
を更に備えたことを特徴とする、請求項６に記載のコードレス子機付きファクシミリ装置。
【請求項８】
前記相手側から回線を介して送信される音声データを記憶するとともに、前記画像データ取得部で取得される画像データ及び前記ファクシミリ受信部により受信される画像データを記憶するデータ記憶手段と、
前記データ記憶手段の残容量が所定の閾値以下になっているか否か判別する第１の判別手段と、
留守番電話受信機能により前記音声データが前記データ記憶手段に記憶されたか否かを判別する第２の判別手段と、
を更に備え、
前記子機から確認可能な動作状態の項目には、更に前記第１，第２の判別手段による判別結果が含まれることを特徴とする、請求項６又は７に記載のコードレス子機付きファクシミリ装置。
【発明の詳細な説明】
【技術分野】
【０００１】
本発明は、回線に接続され、当該回線に接続された相手側との間で通話若しくはファクシミリ通信が可能な本体と、この本体に設けられた親機と無線により通話及びデータ通信が可能な少なくとも１の子機とを備えたコードレス子機付きファクシミリ装置に関し、特に本体の動作状態を子機側で確認することができるコードレス子機付きファクシミリ装置に関するものである。
【背景技術】
【０００２】
従来、プリンタ機能、コピー機能、スキャナ機能及びファクシミリ機能などの複数の機能を１台でこなすデジタル複合機が商品化されている。このような複合機は、デジタルファクシミリ装置が基本的に備える原稿読取装置、画像形成装置及びファクシミリ通信装置の各装置を用途に応じて独立して動作させたり、一部の装置を組み合わせて動作させたりすることによって実現されるもので、デジタルファクシミリ装置を多機能化したものと考えられる。
【０００３】
また、近年では、上記の複合機において、１台または複数台のコードレス子機を増設可能になされたものも商品化されている。
【０００４】
コードレス子機付の電話装置は、子機が無線によって複合機本体（以下、「親機」という。）に接続されるようになっているので、例えば家屋の中の異なる複数の部屋で電話を利用するケースが多いユーザや、家族の内、複数の人がタイムシェアで電話を良く利用するケースが多いユーザにとっては、所望数の子機を増設し、親機の配置される部屋以外で電話を利用する部屋に各子機を配置することにより、電話の利便性を向上することができるという利点がある。
【０００５】
また、一般にコードレス子機には液晶表示装置からなる表示部が設けられているので、この表示部に相手先検索用の電話帳や着信時の相手先などの通話に関する情報だけでなく、親機の動作状態に関する情報（例えば親機側で生じているエラーやファクシミリの送受信結果などの情報）を表示させると、親機の設置されている部屋とは異なる部屋で親機の動作状態をモニタすることができるから、コードレス子機の利便性を更に向上させることができるという利点がある。
【０００６】
従来、コードレス子機の表示部を本来の通話目的のための表示部としてではなく、親機の動作状態のモニタとして利用する技術が提案されている。
【０００７】
例えば、特開平５−２０７１７６号公報には、親機にファクシミリ機能を備えたコードレス電話システムにおいて、親機に接続されたファクシミリ装置の状態（ファクシミリデータの送受信中であるか否か、記録紙切れが生じたか否かなどの状態）を示すデータ、親機或いは各子機の使用中などのデータを親機の記録部に記録し、その記録データの書き替え若しくは子機からの要求に応じて親機の記録部から記録データを読み出し、子機に送信して当該子機の表示部に表示するコードレス電話システムが提案されている。
【０００８】
また、装置本体の状態を当該装置本体と無線によって通信可能な無線通信装置でモニタするという点で類似する技術が、例えば、特開平５−１８８６８３号公報に提案されている。この公報には、複写装置と複数の無線電話機を収容した電話交換装置とによって構成される複写装置通信システムであって、複写装置で複写動作を行う際、その複写動作の状況を通知する無線電話機の内線番号とともに通知指令を入力すると、複写装置から残り枚数、エラー種別などの動作状況を示すデータが指定された無線電話機に送信され、そのデータが当該無線電話機の液晶表示部に表示される複写装置通信システムが提案されている。
【０００９】
【特許文献１】特開平５−１８８６８３号公報
【特許文献２】特開平５−２０７１７６号公報
【発明の開示】
【発明が解決しようとする課題】
【００１０】
ところで、コードレス子機を備えた複合機において、親機の動作状況に関する情報を各コードレス子機の表示部でモニタ可能にする場合、コードレス子機の表示部は表示サイズが一般に小さいので、表示すべき情報が多いと、ユーザはスクロール操作などによって所望の情報を画面に表示させる必要があり、操作性の煩わしさからモニタ機能を十分に活用し得ない可能性がある。
【００１１】
例えば、上述した複合機では、親機の動作状況に関する情報として、各機能に応じた動作結果の情報とエラー情報とが考えられ、前者の動作結果の情報としては、例えばファクシミリ送受信時の通信結果（正常通信又は通信エラーの結果）、留守番待機時の留守録有りの結果、画像データをメモリに一旦格納した後にコピー機能やファクシミリ機能などの各機能の処理を行う場合のメモリの残容量の情報などが考えられる。また、後者のエラー情報としては、記録紙や印字装置におけるインク、トナーなどの消耗品の補給が必要になったこと、記録紙や原稿などのシート状態を搬送する機構における用紙ジャムの発生、感光体や光源などの消耗品の交換時期がきていること、部品の損傷や調整ずれなどによる機械構造上のエラーなどの情報が考えられる。
【００１２】
上記の動作状況に関する情報やエラー情報は親機に関係し、当該親機側で対処すべき内容であるから、基本的に親機の表示部に全て表示すべきものであるが、コードレス子機ではユーザが遠隔地でもモニタしたいと希望すべきものを表示すれば、十分であるから、上記した多数の情報を親機と同様にコードレス子機の表示部に表示させる構成にしたので、却ってユーザは所望の情報をモニタするために親機から取得した動作状況に関する情報やエラー情報から所望の情報を選択する必要があり、その操作は煩瑣に堪えなくなる。
【００１３】
特に、複数のコードレス子機が異なる複数の部屋に配置され、例えば家族の複数人で格別に利用されている場合には各人がコードレス子機でモニタしたい情報は異なるから、コードレス子機毎にモニタしたい情報を設定できることが望ましい。
【００１４】
かかる観点から上記公報に提案される従来技術を検討すると、特開平５−２０７１７６号公報に記載の技術は、親機の記録部に、親機に接続されたファクシミリ装置等の予め設定された種類の状態のデータ（ファクシミリ送信中、ファクシミリ受信中、受信紙の有無等のデータ）を記録し、この記録部の内容が変更されると、この記録部から変更後のデータを読み出して子機の表示部に表示させるもので、子機毎に、状態のデータのうちユーザが所望のデータを選択して表示させるものではない。
【００１５】
また、特開平５−１８８６８３号公報に記載の技術は、親機とコードレス子機との間で通信するデータのデータフォーマットに動作状況のデータの項目を予め設定しておき、そのデータフォーマットで作成したデータを親機とコードレス子機間で通信するので、この技術でもコードレス子機毎に状態のデータのうちユーザが所望のデータを選択して表示させることはできない。
【００１６】
本発明は、上記課題に鑑みてなされたものであり、親機側の複数の動作状態の情報のうち、ユーザが所望の情報をコードレス子機毎に設定して各コードレス子機でモニタすることのできるコードレス子機付きファクシミリ装置を提供することを目的とする。
【課題を解決するための手段】
【００１７】
請求項１に記載の発明は、回線に接続され、当該回線に接続された相手側との間で通話若しくはファクシミリ通信が可能な本体と、この本体に設けられた親機と無線により通話及びデータ通信が可能な少なくとも１の子機とを備えたコードレス子機付きファクシミリ装置であって、本体の複数の動作状態のうち、前記子機から確認可能な動作状態の項目を設定する項目設定手段と、前記本体に設けられ、前記本体の複数の動作状態に関する情報を生成する情報生成手段と、前記情報生成手段により生成される前記本体の複数の動作状態に関する情報のうち、前記項目設定手段で設定された項目に該当する情報が生成されると、その動作状態に関する情報を前記子機に送信する情報送信手段と、前記子機に設けられ、前記情報送信手段から送信された前記本体の複数の動作状態に関する情報を受信すると、その情報をユーザに報知するために当該情報の出力処理を行う情報出力手段と、を備えたことを特徴とする。
【００１８】
請求項２に記載の発明は、請求項１に記載のコードレス子機付きファクシミリ装置において、前記項目設定手段は、前記本体の複数の動作状態の項目を選択するためのメニュー画面を記憶する記憶手段と、前記メニュー画面を表示手段に表示させるメニュー表示手段と、前記表示手段に表示されたメニュー画面からユーザが所望の項目を選択するために操作する項目選択手段と、からなることを特徴とする。
【００１９】
請求項３に記載の発明は、請求項２に記載のコードレス子機付きファクシミリ装置において、前記項目設定手段は、前記本体と前記子機のいずれか一方若しくは両方に設けられていることを特徴とする。
【００２０】
請求項４に記載の発明は、請求項２又は３に記載のコードレス子機付きファクシミリ装置において、前記表示手段に表示される前記メニュー画面には、子機毎に前記本体の複数の動作状態の項目を個別に設定する第１の方法と、子機全体に対して同一の前記本体の複数の動作状態の項目を設定する第２の方法とが含まれ、ユーザは前記項目選択手段により前記第１又は第２の方法が選択可能であることを特徴とする。
【００２１】
請求項５に記載の発明は、請求項１〜４のいずれかに記載のコードレス子機付きファクシミリ装置において、前記情報出力手段が行う情報の出力処理は、前記情報送信手段から送信された前記本体の複数の動作状態に関する情報を表示手段に文字若しくは記号により表示する処理と、発音手段により前記情報に対応する音声を出力する処理のいずれか一方若しくは両方の処理であることを特徴とする。
【００２２】
請求項６に記載の発明は、請求項１〜５のいずれかに記載のコードレス子機付きファクシミリ装置において、前記本体は、画像データを取得する画像データ取得部と、前記回線を介して画像データを前記相手側に送信するファクシミリ送信部と、前記回線を介して前記相手側から送信された画像データを受信するファクシミリ受信部と、画像データを記録紙に印字する画像形成部と、前記画像データ取得部、前記ファクシミリ送信部、前記ファクシミリ受信部及び前記画像形成部を複合的に用いた制御部として、前記画像データ取得部で取得された画像データを前記ファクシミリ送信部により前記回線を介して前記相手側に送信するファクシミリ送信制御部と、前記ファクシミリ受信部により前記回線を介して前記相手側から受信した画像データを前記画像形成部により記録紙に印字するファクシミリ受信制御部と、を備えるとともに、前記画像データ取得部、前記ファクシミリ送信部、前記ファクシミリ受信部、前記画像形成部及び前記制御部の各部で生じる動作エラーを検出するエラー検出手段と、を備え、前記子機から確認可能な動作状態の項目には、少なくとも前記エラー検出手段で検出される各部の動作エラー、前記ファクシミリ送信制御部による送信結果及び前記ファクシミリ受信制御部による受信結果が含まれることを特徴とする。
【００２３】
請求項７に記載の発明は、請求項６に記載のコードレス子機付きファクシミリ装置において、前記画像データ取得部には、少なくとも原稿を読み取り、画像データとして出力する原稿読取部と、外部接続された画像データ作成装置から伝送される画像データを受信する画像データ受信部とを含むとともに、前記画像データ取得部、前記ファクシミリ送信部、前記ファクシミリ受信部及び前記画像形成部を複合的に用いた制御部として、前記原稿読取部から出力される画像データ若しくは前記画像データ受信部により受信される画像データを前記画像形成部により記録紙に印字する印字制御部と、前記画像データ受信部により受信された画像データを前記ファクシミリ送信部により前記回線を介して前記相手側に送信する第２のファクシミリ送信制御部とを更に備えたことを特徴とする。
【００２４】
請求項８に記載の発明は、請求項６又は７に記載のコードレス子機付きファクシミリ装置において、前記相手側から回線を介して送信される音声データを記憶するとともに、前記画像データ取得部で取得される画像データ及び前記ファクシミリ受信部により受信される画像データを記憶するデータ記憶手段と、前記データ記憶手段の残容量が所定の閾値以下になっているか否か判別する第１の判別手段と、留守番電話受信機能により前記音声データが前記データ記憶手段に記憶されたか否かを判別する第２の判別手段と、を更に備え、前記子機から確認可能な動作状態の項目には、更に前記第１，第２の判別手段による判別結果が含まれることを特徴とする。
【発明の効果】
【００２５】
請求項１に記載の発明によれば、本体の複数の動作状態のうち、子機毎に項目設定手段によって設定された本体の動作状態に関する情報が親機から各子機に送信され、ユーザに報知するように出力処理がなされるので、各子機のユーザは本体の複数の動作状態のうち、所望の動作状態についてのみ子機側で確認することができる。
【００２６】
従って、本体とは異なる場所に各子機が設置されている場合には、各子機のユーザは本体から離れた場所で本体側の所望の動作状態を簡単に確認することができる。
【００２７】
請求項２に記載の発明によれば、表示手段に本体の複数の動作状態の項目を選択するためのメニュー画面を表示させ、そのメニュー画面によって所望の項目を選択するようにしているので、ユーザは簡単な操作で所望の項目の設定をすることができる。
【００２８】
請求項３に記載の発明によれば、ユーザは本体又は子機のいずれかの項目設定手段により所望の動作状態の項目を設定できるので、項目設定の操作性が良好となる。
【００２９】
請求項４に記載の発明によれば、ユーザは表示手段に表示されたメニュー画面により子機毎に所望の動作状態の項目を設定できるだけでなく、複数の子機に対して同一の項目を一括して設定できるので、同一の動作状態の項目を複数の子機に設定する場合には同様の設定動作を繰り返す必要がなく、項目設定の操作性が更に良好となる。
【００３０】
請求項５に記載の発明によれば、設定された動作状態の情報は、各子機の表示手段に表示されるか、音声によって出力されるので、ユーザは所望の本体の動作状態を容易且つ確実に確認することができる。
【００３１】
請求項６，７に記載の発明によれば、本体の動作状態の情報として、少なくとも画像データ取得部、ファクシミリ送信部、ファクシミリ受信部、画像形成部及び制御部の各部で生じる動作エラーと、ファクシミリ送信制御部による送信結果及びファクシミリ受信制御部による受信結果とを子機側で確認することができるので、子機を本体の設置場所とは異なる場所に設置している場合には、ユーザは本体とは別の場所で複合機本体の複数の動作情報を容易に確認することができる。
【００３２】
請求項８に記載の発明によれば、本体の動作状態の情報として、本体の留守番電話受信機能による留守録有りの情報と、留守録データやファクシミリ受信データを一時記憶するデータ記憶手段の残容量が所定の閾値以下に低下していることの情報とを更に子機で確認することかできるので、ユーザは本体とは別の場所で留守録有りの情報やメモリ受信により留守番受信やファクシミリ受信の可否を容易に確認することができる。
【発明を実施するための最良の形態】
【００３３】
図１は、本発明に係るコードレス子機付きファクシミリ装置の概観を示す斜視図である。図２は、コードレス子機付きファクシミリ装置の縦断面図である。
【００３４】
同図に示すコードレス子機付きファクシミリ装置１は、プリンタ機能、コピー機能、スキャナ機能、ファクシミリ機能及びフォトメディアキャプチャ機能を備えた装置本体２と３台のコードレス子機３によって構成されている。なお、図１では、作図の便宜上、コードレス子機３は１台しか描いていない。
【００３５】
プリンタ機能は、ファクシミリ装置１をパーソナルコンピュータ（以下、「パソコン」と言う。）に接続し、当該パソコンに対してプリンタとして動作させる機能である。コピー機能は、原稿や本などに記載された内容の複写を作成する機能である。スキャナ機能は、原稿や本などに記載された内容を画像データに変換する機能である。ファクシミリ機能は、原稿の記載内容を画像データに変換し、ファクシミリ通信規格により電話回線を利用して相手先のファクシミリ装置に送信したり、逆に相手先のファクシミリ装置から画像データを受信し、その画像データを記録紙に記録したりする機能である。フォトメディアキャプチャ機能は、例えば、デジタルカメラで撮影された画像データを記録した外部記録媒体から画像データを読み取って写真を作成する機能である。
【００３６】
本実施形態では、コードレス子機３の台数を３台としているが、コードレス子機３の台数は任意である。また、装置本体２において、コードレス子機３による通話機能はオプションであり、ユーザは所望数のコードレス子機３を装置本体２に増設することができる。なお、以下の説明では、コードレス電話機能に関する説明において、必要に応じて装置本体２を「親機２」といい、コード子機３を「子機３」という。
【００３７】
装置本体２は低背の箱形状をなし、上面の前端部に表示部２０１を備えた操作パネル２０２が設けられている、操作パネル２０２の後方側には前側が開閉可能な蓋体２０３が設けられ、この蓋体２０３を開放した面に画像を読み取る対象となる原稿を載置する原稿載置面２０４（図２参照）が設けられている。原稿載置面２０４は透明なガラス板で構成されている。この原稿載置面２０４にはＡ４サイズの原稿まで載置することができる。本実施形態では、原稿が複数枚ある場合は、原稿を一枚ずつ原稿載置面２０４に載置して読み取る構成であるが、後述するように各原稿の読取データは一旦メモリに記憶され、全原稿の画像データがメモリに記憶された後、例えば、ファクシミリ送信やコピーなどの処理が行われる。なお、蓋体２０３に代えて自動原稿送り装置を搭載すれば、複数枚の原稿を連続的に読み取ることができる。
【００３８】
装置本体２の前面下部には、給紙トレイ２０５が着脱可能に装着され、その上方に、この給紙トレイ２０５から供給された記録紙が装置内部で反転され、画像が記録された後、装置外へ排出される際に保持するための排紙トレイ２０７が設けられている。また、装置本体２の前面の左上隅部にデジタルカメラで撮影された画像データを記憶した外部記憶媒体を装着するためのメディア装着部２０６が設けられている。給紙トレイ２０５の着脱状態は、装置本体２内の適所に設けられたスイッチ（例えば、プッシュスイッチ）により検出され、このスイッチの開閉状態の信号は、装置本体２の動作を集中的に制御する主制御部（後述。図３参照）に入力されている。
【００３９】
主制御部は、例えば、スイッチがオン状態のとき、給紙トレイ２０５が装着されていると判定し、スイッチがオフ状態のとき、給紙トレイ２０５が未装着されていると判定する。主制御部は、給紙トレイ２０５が未装着であると判定すると、表示部２０１に給紙トレイ２０５が未装着である旨の所定の警告メッセージを表示する。同様に外部記憶媒体の着脱状態もメディア装着部２０６に設けられたスイッチにより検出され、その検出信号は主制御部に入力されている。主制御部は、フォトメディアキャプチャモードでメディア装着部２０６に外部記憶媒体が未装着であると判定すると、表示部２０１に外部記憶媒体が未装着である旨の所定の警告メッセージを表示する。
【００４０】
給紙トレイ２０５の底面の適所には開口部が設けられ、装置本体２の底面であって、給紙トレイ２０５が当該装置本体２内に装着されたときにその開口部を臨む位置に記録紙切れを検出するための反射型光センサからなるセンサ（以下、「用紙切れセンサ」という。）が設けられている。この用紙切れセンサの検出信号も主制御部に入力されている。主制御部は、用紙切れセンサから記録紙を反射した光を受光した信号（例えば、ハイレベルの信号）が入力されると、記録紙有りと判定し、用紙切れセンサから記録紙の反射光を受光しない信号（例えば、ローレベルの信号）が入力されると、記録紙無しと判定する。
【００４１】
また、装置本体２の左側面には電話機の載置台２０８が取り付けられ、この載置台２０８に電話機２０９が載置されている。ユーザは、この電話機２０９を用いて外線通話又は内線通話をすることができる。また、装置本体２の背面右側に子機３との間で無線により通話若しくはデータ通信を行うための伸縮自在の棒状アンテナ２１０が設けられている。また、図１では見えていないが、装置本体２の背面には、パソコンを外部接続するためのコネクタ（例えば、ＵＳＢ（Universal Serial Bus）コネクタ）が設けられている。このコネクタにパソコンが接続されている場合には、装置本体２をパソコンのプリンタとして使用することができる。
【００４２】
操作パネル２０２の中央に設けられた表示部２０１は、マトリックス状に配置された多数の画素を有する液晶ディスプレイ（ＬＣＤ：Liquid Crystal Display）からなる。表示部２０１は、所定のキャラクタサイズの文字３行分を表示できるサイズを有している。表示部２０１の各行には半角カナ文字若しくは半角英数文字により各種の情報が表示される。例えば、月日、時刻、各動作モードにおいてユーザに報知すべき各種の設定情報（例えば、ファクシミリモードでは相手先の名称や電話番号、コピーモードではコピー枚数や濃度設定値など）や動作状態（例えば、ファクシミリモードでは送信結果や受信結果、コピーモードではコピー結果など）やエラー若しくは警告のメッセージなどが表示される。
【００４３】
操作パネル２０２の左端部、右端部及び表示部２０１の下部には、複数の操作部ボタンからなる操作部２１１，２１２，２１３が設けられている。表示部２０１の下側に設けられた操作部２１１は、ファクシミリモード、コピーモード、スキャナモード及びフォトメディアキャプチャモードのいずれかを設定するための操作部である。操作部２１１には上記４種類の動作モードに対応して４個のモード設定ボタンが設けられている。
【００４４】
装置本体２の主電源をオンにしたときは、装置本体２はファクシミリモードに初期設定される。ユーザは、操作部２１１の所望のモード設定ボタンを押下することにより、ファクシミリモードをコピーモード、スキャナモード及びフォトメディアキャプチャモードに切り換えることができる。なお、プリンタモードは、装置本体２にパソコンを接続すると、そのパソコンからのプリンタ要求信号により一時的に切換設定され、割込処理によりプリンタ動作が行われた後、自動的に元の動作モードに切り換えられる。
【００４５】
操作パネル２０２の左端部に設けられた操作部２１２は、主として電話に関する操作等を行う操作部である。操作部２１２には１６個の操作ボタンが設けられている。左端に電源入／切、リダイヤル、オンフックなどを操作するための４個の操作ボタンが配列され、その右隣に電話番号などを入力するための１２個のテンキーが配列されている。このテンキーは、例えば、電話帳登録の場合にはカタカナ文字や英文字の入力キーとしても機能する。
【００４６】
操作パネル２０２の右端部に設けられた操作部２１３は、主として画像記録に関する操作や各動作モードにおける各種の条件設定を行う操作部である。操作部２１３には、６個の操作ボタンと１個の十字キー２１４が設けられている。右端にコピーの停止、カラーコピー、モノクロコピーを指示するための３個の操作ボタンが縦に配列されている。表示部２０１の右隣に十字キー２１４が設けられ、その下側に各動作モードにおける処理条件の項目を選択するための３個の操作ボタンが横に配列されている。
【００４７】
十字キー２１４の下部の中央の操作ボタン２１３ａは、表示部２０１にメニュー画面を表示させたり、そのメニュー画面に含まれる選択項目のうちのセット項目を確定させたりするための操作ボタン（以下、「メニュー／セットボタン」という。）である。後述するように、本実施形態に係るコードレス子機付きファクシミリ装置１では、子機３毎に装置本体２の動作状態の項目のうち、各子機３の表示部３０４に表示させる項目を選択的に設定できるようになっている。子機３毎の装置本体２の動作状態の表示項目の選択／設定は、メニュー画面に含まれている。メニュー／セットボタン２１３ａが押下げられると、表示部２０１にメニュー画面の一部が表示される。すなわち、メニュー画面の表示内容は階層化構造で構成されており、同一階層に３以上の項目が含まれる場合は、最初に最上位から３番目までの項目が表示部２０１の画面に表示される。
【００４８】
十字キー２１４は、表示部２０１に表示されるメニュー画面の非表示部分（同一階層の表示されていない項目）を表示させるための画面送りキーとして機能するとともに、表示されている３つの選択項目の中からユーザがセットしたい項目（表示されていない階層の項目）を選択するための選択キーとして機能する。メニュー画面の画面送りや項目の選択は十字キー２１４の上下のキー２１４ａ，２１４ｂによって行われる。子機３毎の装置本体２の動作状態の表示項目の選択も十字キー２１４の上下のキー２１４ａ，２１４ｂを操作することにより表示部２０１に表示される。
【００４９】
すなわち、メニュー／セットボタン２１３ａが押下げられると、表示部２０１にメニュー画面の最上位の階層の１番目から３番目の項目が表示部２０１の画面に３行に亘って表示される。なお、表示部２０１に表示されている３つの項目のうち、選択されている項目は反転表示される。そして、十字キー２１４の下キー２１４ｂを押し下げる毎に、最上位の階層の内容が１項目ずつ下側にスクロールされ、新たに表示される項目が選択項目として表示される。なお、下側へのスクロール表示の途中で十字キー２１４の上キー２１４ａの押下げ操作をすると、その押下げ操作毎に、最上位の階層の内容が１項目ずつ上側にスクロールされ、新たに表示される項目が選択項目として表示される。
【００５０】
ユーザは所望の項目が含まれる項目を表示部２０１に表示させ、十字キー２１４の上下のキー２１４ａ，２１４ｂによってその項目を選択した後、メニュー／セットボタン２１３ａを操作すると、その項目の選択が確定し、更にその選択項目に含まれる複数の項目のうち、１番目から３番目の項目が表示部２０１の画面に３行に亘って表示される。以下、上述した操作方法と同様の操作を繰り返して、ユーザは下位の階層に含まれる所望の項目を選択することができる。
【００５１】
装置本体２の内部においては、図２に示すように、原稿載置面２０４の下部に画像読取装置２１５が設けられている。画像読取装置２１５は、装置本体２の横方向（図１の左右方向）に延びるガイド棒２１６と、このガイド棒２１６に沿って横方向に移動可能に設けられたイメージスキャナ２１７と、このイメージスキャナ２１７の往復移動を制御する駆動ユニット（図略）と、原稿の読取動作を制御する読取制御ユニット（図略）によって構成されている。
【００５２】
イメージスキャナ２１７は棒状を成し、その長手方向がガイド棒２１６に対して垂直な方向（装置本体２の前後方向）に延びるように配設されている。イメージスキャナ２１７は、Ｒ（赤），Ｇ（緑），Ｂ（青）の各色のＬＥＤからなる棒状の光源と、これらの光源から原稿に照射された光の反射光を受光するＣＣＤラインセンサからなるイメージセンサと、原稿からの反射光をＣＣＤラインセンサを構成する各画素に集光させる棒状のロッドレンズアレイとが一体的に構成されたＣＩＳ（Contact Image Sensor）方式のイメージスキャナである。イメージスキャナ２１７は、装置本体２の左右方向（以下、「副走査方向」という。）に移動しながら、原稿載置面２０４に載置された原稿からのライン光像（装置本体２の前後方向（以下、「主走査方向」という。）にＲ，Ｇ，Ｂの各色の光源で照明された原稿の線状の光像）をＣＣＤラインセンサで順次受光し、画像データに変換する動作を繰り返して原稿を読み取る。
【００５３】
より具体的には、イメージスキャナ２１７は、副走査方向に１ライン分移動する毎に、受光動作及び画像データ変換動作を行い、各画素から画像データを主走査方向に順次読み出して図略のメモリに記憶する動作を繰り返す。そして、イメージスキャナ２１７は、副走査方向の終端位置まで移動すると、原稿読取動作を終了し、所定のホームポジションに復帰する。
【００５４】
装置本体２内の底部に給紙トレイ２０５に積層された記録紙を１枚ずつ取り上げて装置本体２の後方に給送し、背面で上方に反転させた後、装置本体２の前方に搬送し、排紙トレイ２０７に排出する用紙搬送機構２１８が設けられている。そして、画像読取装置２１５の下部であって、用紙搬送機構２１８における排紙トレイ２０７への搬送経路上に記録紙に画像を形成する画像記録装置２１９が設けられている。
【００５５】
用紙搬送機構２１８は、給紙トレイ２０５に積層された記録紙Ｐを上面から１枚ずつピックアップして本体後方に給送するピックアップ部２２０と、ピックアップ部２２０により給送された記録紙の給送方向を反転させる反転ガイド部２２１と、反転ガイド部２２１により反転された記録紙の斜行を修正するとともに、画像記録装置２１９による画像形成動作との同期をとるレジストローラ２２２と、画像記録装置２１９により画像が形成された記録紙を排紙トレイ２０７に排出する排紙ローラ２２３とにより構成されている。
【００５６】
ピックアップ部２２０は、装置本体２の底部であって給紙トレイ２０５の奥側に設けられている。ピックアップ部２２０は、装置本体２の底部から所定の高さ位置に回動可能に保持された斜め後方に延びる一対のアーム２２０ａと、これらのアーム２２０ａの先端に架け渡された軸２２０ｂと、この軸２２０ｂに固着された複数個のピックアップローラ２２０ｃとからなる。
【００５７】
一方のアーム２２０ａには、ピックアップローラ２２０ｃが固着された軸２２０ｂに回転力を伝達するための複数の相互に噛合された歯車からなる駆動力伝達機構２２０ｄが設けられ、基端部の歯車に図略のモータの駆動力が伝達されるようになっている。ピックアップローラ２２０ｃは、駆動力伝達機構２２０ｄによって伝達されたモータの駆動力により、図２において反時計回りに回転され、これにより給紙トレイ２０５に積層された記録紙Ｐは上から１枚ずつ後方に給送される。
【００５８】
反転ガイド部２２１は、装置本体２の底部であってピックアップ部２２０の後方に設けられた傾斜分離板２２１ａと、その上方に設けられた湾曲した対構造のガイド板２２１ｂとで構成されている。傾斜分離板２２１ａは、幅方向（図２では紙面に垂直な方向）の中央部が前方に湾曲するように突出した凸形状をなし、その中央部に鋸歯状の弾性部材からなる分離パッドが取り付けられている。傾斜分離板２２１ａは、ピックアップローラ２２０ｃによって複数枚の記録紙Ｐが給送された場合、それらの記録紙Ｐの先端縁に分離パッドを当接させて当該記録紙Ｐから最上の１枚だけを分離して、下流側に給送する。
【００５９】
ガイド板２２１ｂは、傾斜分離板２２１ａの分離パッドによって分離された記録紙Ｐを上方に給送しつつその給送方向を反転させる。ガイド板２２１ｂの先端部（ピックアップローラ２２０ｃの略上方に当たる位置）にレジストローラ２２２が設けられている。レジストローラ２２２は１対の駆動ローラと従動ローラからなる。このレジストローラ２２２の上流側の適所に記録紙Ｐの給送を検出するセンサ２２４が設けられている。
【００６０】
センサ２２４（以下、「給紙センサ」という。）は、例えば、回転可能なレバーを有するレバースイッチからなる。レバースイッチは通常、オフ状態であり、記録紙Ｐが給送され、その先端がレバーを一定の角度以上に押すと、オン状態になる。レバースイッチの開閉状態の信号は装置本体２の主制御部に入力されている。主制御部は、ピックアップ部２２０により記録紙Ｐの給送動作を開始した後、所定の時間内にレバースイッチがオン状態に反転しなければ、記録紙の給送失敗（以下、「用紙ジャムＡ」という。）が発生したと判定し、「用紙ジャムＡ」が発生したことを示す所定のエラーメッセージを表示部２０１に表示する。
【００６１】
レジストローラ２２２の下流側に画像記録装置２１９が設けられている。画像記録装置２１９は、レジストローラ２２２の記録紙Ｐの排出位置と略同一の高さ位置に配置されたプラテン２２５と、装置本体２の横方向（図１の左右方向）に延びるガイド棒２１６に沿って移動可能に設けられたインクジェット方式のプリントヘッド２２６と、このプリントヘッド２２６にインクを供給するインクカートリッジ（図では見えていない）と、このプリントヘッド２２６の往復移動を制御する駆動ユニット（図では見えていない）と、記録紙への記録動作を制御する記録制御ユニット（図では見えていない）によって構成されている。
【００６２】
プラテン２２５は、Ａ４サイズの記録紙の幅方向寸法と略同一の幅寸法と所定の縦寸法を有する平板状をなし、装置本体２内に水平に設けられている。プリントヘッド２２６は、装置本体２の前後方向に一列配列された４個のノズルを有し、これらのノズルのインク吐出面は所定の間隔を設けてプラテン２２５に対向している。プリントヘッド２２６の各ノズルにインクカートリッジからそれぞれマゼンタ（Ｍ），シアン（Ｃ），イエロー（Ｙ），ブラック（ＢＫ）のインクが供給されるようになっている。
【００６３】
インクカートリッジは、４個の直方体形状のインクタンクが一体形成されたもので、各インクタンクにマゼンタ（Ｍ），シアン（Ｃ），イエロー（Ｙ），ブラック（ＢＫ）のインクが貯留されている。インクカートリッジは、装置本体２内の所定の位置に固着されている。インクカートリッジの各インクタンクは、プリントヘッド２２６の対応する色のノズルにフレキシブルチューブによって接続されている。
【００６４】
インクカートリッジの各インクタンクのインク残量は、記録制御ユニット（図略）によって管理されている。すなわち、各ノズルの１回の吐出動作によって吐出されるインク量は略一定であるので、記録制御ユニットは、記録動作毎に、各ノズルの吐出回数をカウントし、そのカウント値とインク量／吐出とインク満容量とから各インクタンクの消費量と残量を演算し、その演算結果を記録制御ユニット内のメモリに記憶する。また、記録制御ユニットは、いずれかのインクタンクのインク残量が所定の閾値以下になっているか否かを判別し、その判別結果もメモリに記憶する。
【００６５】
記録制御ユニットは、レジストローラ２２２によってプラテン２２５の所定の位置に記録紙Ｐが送り出されると、記録動作を開始する。すなわち、記録制御ユニットは、プリントヘッド２２６を副走査方向に往動させながら、主制御部から送信される各色の画像データに基づいて各色のノズルからインクを記録紙Ｐに吐出することにより１ライン分の画像を形成する。レジストローラ２２２は、プリントヘッド２２６が副走査方向の終端位置に移動すると、記録紙Ｐを１ライン分搬送する。記録制御ユニットは、プリントヘッド２２６が副走査方向の終端位置に移動すると、その移動方向を反転させ、往動時と同様にプリントヘッド２２６の復動時に主制御部から送信される各色の画像データに基づいて各色のノズルからインクを記録紙Ｐに吐出することにより１ライン分の画像を形成する。以下、同様のライン単位の印字動作を繰り返すことにより、記録制御ユニットは記録紙Ｐの全体に画像を形成する。
【００６６】
排紙ローラ２２３は、一対の駆動ローラと従動ローラからなり、プラテン２２５の下流側に設けられている。画像が形成された記録紙Ｐは、排紙ローラ２２３によって排紙トレイ２０７に排出される。
【００６７】
プラテン２２５の下流端と排紙ローラ２２３との間の適所に、給紙センサ２２４と同様のセンサ２２７（以下、「排紙センサ」という。）が設けられている。この排紙センサ２２７から出力される信号も主制御部に入力されている。主制御部は、レジストローラ２２２により記録紙Ｐを所定量以上送り出す動作が行われているにも拘わらず、レバースイッチがオン状態に反転しなければ、記録紙の排紙失敗（以下、「用紙ジャムＢ」という。）が発生したと判定し、「用紙ジャムＢ」が発生したことを示す所定のエラーメッセージを表示部２０１に表示する。
【００６８】
なお、図２には見えてないが、ファクシミリ機能やフォトメディアキャプチャ機能や子機３による通話機能を行う回路ユニットは、図示されていない回路基板に設けられている。
【００６９】
図１に戻り、子機３は、「く」の字型に湾曲した縦長直方体形状の子機本体３０１を有している。子機本体３０１は、使用しないときは子機充電台４で保持されるようになっている。子機充電台４には子機本体３０１を着脱可能に載置するための凹部が形成され、子機本体３０１は本体下部をその凹部に装着して縦型に保持される。子機充電台４の内部には、子機本体３０１に内蔵された電池を充電するための充電回路が設けられており、子機３は、子機充電台４に保持されている間に充電が行われる。
【００７０】
子機本体３０１の内側面の上部に通話時の相手先の音声を出力するスピーカ３０２が設けられ、最下部にユーザ（通話者）の音声を入力するマイク３０３が設けられている。更に、子機本体３０１の屈曲部とスピーカ３０２の間に液晶ディスプレイ（ＬＣＤ：Liquid Crystal Display）からなる表示部３０４が設けられ、子機本体３０１の屈曲部とマイク３０３との間に複数のボタンからなる操作部３０５が設けられている。
【００７１】
表示部３０４は、所定のキャラクタサイズの文字４行分を表示できるサイズを有している。表示画面の上から３行分の領域には、各行に半角カナ文字若しくは半角英数文字により相手先の名称や電話番号などの情報が表示され、最下の１行分の領域には、ピクト（全角絵文字）により相手先や電話番号などに付された属性情報が表示される。なお、属性情報とは、例えば、電話帳登録で相手先をグループ分類した場合のグループ名や電話番号の種類（携帯電話、ファクシミリ、会社電話、自宅電話などの種類）などである。
【００７２】
操作部３０５には、装置本体２の十字キー２１４と同様の機能を果たす十字キー３０６と、相手先の電話番号を入力したり、例えば電話帳登録におけるカナ文字や英数字による文字情報を入力したりするための１２個のボタンからなるテンキー３０７と、子機３からの通話で必要な操作を行うための７個のボタンからなる操作ボタン３０８とが含まれる。なお、子機３からの通話で必要な操作とは、例えば、外線通話要求操作、内線通話要求操作、リダイヤル操作、通話保留操作、スピーカ３０２の音量切換操作、通話終了操作などである。また、操作ボタン３０８に含まれるボタンのうち、十字キー３０６の右下に配置されるボタン３０８ａ（以下、「メニュー／セットボタン３０８ａ」という。）は、装置本体２のメニュー／セットボタン２１３ａと同様の機能を果たすボタンである。
【００７３】
後述するように、本実施形態に係るコードレス子機付きファクシミリ装置１では、子機３側でも、装置本体２と同様の操作によって子機３毎の装置本体２の動作状態の表示項目の選択／設定を行うことができる。すなわち、ユーザはメニュー／セットボタン３０８ａが押下げて表示部３０４にメニュー画面を表示させ、十字キー３０６の上下のキー３０６ａ，３０６ｂによってメニュー画面に含まれる「動作状態の表示項目の設定」を選択することにより、装置本体２の動作状態の表示項目の選択／設定を行うことができる。表示部３０４に表示される項目を十字キー３０６の上下のキー３０６ａ，３０６ｂによってスクロール表示させ、所望の項目を選択した後、メニュー／セットボタン３０８ａを操作して当該選択項目を確定させる操作は、上述した装置本体２における操作方法と同様である。
【００７４】
図３は、コードレス子機付きファクシミリ装置１の構成を機能ブロックで表した図である。なお、図１，図２と同一の部材には同一の符号をしている。
【００７５】
装置本体２の機能ブロックには、原稿を読み取り、画像データに変換して出力する画像読取部５、画像データに基づいて印字処理を行い、記録紙に画像を記録する画像記録部６、電話回線に接続され、電話機２０９による外線通話を可能にするとともに、相手局のファクシミリ装置との間で画像データをファクシミリ通信規格の伝送信号（以下、「ファクシミリデータ」という。）に変換して送受信するファクシミリ通信制御部７、ファクシミリ通信制御部７によって送受信された画像データや音声データ（留守番録音データ）を記憶するデータ記憶部８、コードレス子機３との無線通信及び通話を制御する無線通信制御部９、メディア装着部２０６に装着されたメディアから画像データを読み取るメディア読取部１０、パソコンとのデータ通信を制御するＰＣ通信制御部１１、表示部２０１への情報の表示を制御する表示制御部１２、操作部２１１〜２１３からの入力情報に基づき画像読取部５〜表示制御部１２の各部の動作を統括制御する主制御部１３が含まれる。
【００７６】
画像読取部５の機能は、上述した画像読取装置２１５によって実現される。画像読取部５は、主制御部１３からの画像読取の指令信号によって原稿の読取動作を行う。主制御部１３は、操作部２１１の操作ボタンによってファクシミリモード、コピーモード及びスキャナモードのいずれかの動作モードが設定されている状態で、操作部２１３のコピーボタンが操作されると、画像読取部５に画像読取の指令信号を出力する。この原稿読取動作によって画像読取部５から出力される画像データは、主制御部１３を介して一旦データ記憶部８に記憶され、ファクシミリ送信や記録紙への画像形成に利用される。画像読取部５における動作状態の情報、例えば、イメージスキャナ２１７やイメージスキャナ２１７の駆動ユニットや画像読取ユニットに発生した異常の情報は主制御部１３に入力される。
【００７７】
主制御部１３は、画像読取部５から異常発生の情報が入力されると、表示制御部１２を介して表示部２０１にエラー表示を行わせる。また、主制御部１３は、そのエラー表示を行うべき子機３に対して異常発生の情報を送信する。
【００７８】
画像記録部６は、上述した給紙トレイ２０５、排紙トレイ２０７、用紙搬送機構２１８及び画像記録装置２１９などによって実現される。画像記録部６は、主制御部１３からの画像記録の指令信号によって記録紙への記録動作を行う。主制御部１３は、ファクシミリモード又はコピーモードが設定されている状態で、画像読取部５による原稿の読取動作が終了すると、画像記録部６に記録すべき画像データを指定して画像記録の指令信号を出力する。画像記録部６は、主制御部１３によって指定される画像データをデータ記憶部８から読み出し、その画像データに基づいて記録紙に画像を形成する。
【００７９】
画像記録部６における動作状態の情報、例えば、給紙トレイ２０５の未装着及び記録紙無しの情報、用紙ジャムＡ及び用紙ジャムＢの情報、インクカートリッジのインク残量やインク残量が閾値以下になっていること（インク補充時期であること）の情報、ハード的な故障の発生情報などの情報は主制御部１３に入力される。
【００８０】
主制御部１３は、画像記録部６から動作状態の情報が入力されると、その情報が動作異常に関するものであれば、表示制御部１２を介して表示部２０１にエラー表示を行わせ、消耗品の補充に関するするものであれば、表示制御部１２を介して表示部２０１に補充を促す表示を行わせる。また、主制御部１３は、そのエラー表示や補充を促す表示を行うべき子機３に対して異常発生や消耗品の補充に関する情報を送信する。
【００８１】
ファクシミリ通信制御部７は、デジタルデータを電話回線１４で通信可能な伝送信号に変調するとともに、電話回線１４から送信された伝送信号をデジタルデータに復調するモデム７１と、電話回線１４へのダイヤル信号送付や着信の制御等を行うＮＣＵ（Network Control Unit：ネットワーク制御装置）７２を備えている。
【００８２】
主制御部１３は、ファクシミリモードにおいて、画像読取部５により送信すべき原稿が読み取られ、その原稿の画像データがデータ記憶部８に全て記憶されると、相手先の電話番号とともに、データ記憶部８からその画像データを順次読み出してファクシミリ通信制御部７に転送する。ファクシミリ通信制御部７は、ＮＣＵ７２により相手先のファクシミリ装置との回線を確立した後、モデム７１により画像データをファクシミリ伝送信号に変調しながらＮＣＵ７２及び電話回線１４を介して相手先のファクシミリ装置に送信する。
【００８３】
ファクシミリ通信制御部７は、画像データが正常に相手先のファクシミリ装置に送信されたか否かの情報（送信結果情報）を主制御部１３に入力する。主制御部１３は、表示制御部１２を介して表示部２０１に送信結果情報を表示させるとともに、ファクシミリ送信結果の表示を行うべき子機３に対してその送信結果情報を送信する。
【００８４】
また、ファクシミリ通信制御部７は、着信があると、その着信がファクシミリデータの受信である場合、ＮＣＵ７２により相手先のファクシミリ装置との回線を確立した後、電話回線１４及びＮＣＵ７２を介して相手先からのファクシミリ伝送信号を受信する。受信したファクシミリ伝送信号はモデム７１によりデジタルデータに復調された後、主制御部１３を介してデータ記憶部８に記憶される。ファクシミリ通信制御部７は、相手先のファクシミリ装置からの画像データが正常に受信できたか否かの情報（送信結果情報）を主制御部１３に入力する。主制御部１３は、表示制御部１２を介して表示部２０１に受信結果情報を表示させるとともに、ファクシミリ受信結果の表示を行うべき子機３に対してその受信結果情報を送信する。
【００８５】
なお、親機２では、電話機２０９が載置台２０８から取り上げられたり、操作部２１２のオフフックボタンが押し下げられたりすると、電話機２０９による外線通話又は内線通話が可能になる。オフフック状態で相手先の電話番号が入力されると、主制御部１３は、ファクシミリ通信制御部７にその電話番号を転送し、相手先の電話機との外線通話の処理を行わせる。一方、オフフック状態の後、操作部２１２の内線通話のボタンが押し下げられ、更にコードレス子機３の番号（ＩＤ番号）が入力されると、主制御部１３は、その子機番号を無線通信制御部９に転送し、その子機番号のコードレス子機３との内線通話の処理を行わせる。
【００８６】
また、ファクシミリ通信制御部７による着信が通常の外線通話の場合は、主制御部１３は、発呼動作を行い、ユーザが電話機２０９を取り上げてオフフック状態になると、相手先の電話機との外線通話の処理を行わせる。一方、操作部２１２の操作ボタンにより留守番電話が設定されているときは、主制御部１３は、所定回数の発呼動作を行った後、相手先からの伝言をデータ記憶部８に記憶する留守録処理を行う。
【００８７】
データ記憶部８は、ファクシミリ受信した画像データを数百頁分（例えば４００〜５００頁分）記憶可能な容量を有している。データ記憶部８は、上記のようにコピーモード、スキャナモード及びファクシミリモード（送信モード）において画像読取部５で読み取られた画像データを一時的に保存するために利用されるとともに、ファクシミリモード（受信モード）において、代行受信を行う場合にも利用される。さらに、データ記憶部８は、留守番電話が設定されている場合、相手先の伝言データを保存するためにも利用される。このため、データ記憶部８には、画像データを記憶する領域と音声データを記憶する領域とが設けられている。
【００８８】
データ記憶部８の空き容量は、主制御部１３により管理されている。すなわち、主制御部１３は、データ記憶部８に画像データ又は音声データを記憶する毎に、データ記憶部８の空き容量から当該画像データ又は音声データの容量を減算し、空き容量を算出する。また、主制御部１３は、算出した空き容量を予め設定された閾値と比較し、空き容量が閾値以下に低下しているか否かを判別する。主制御部１３は、データ記憶部８の空き容量が閾値以下であると、表示制御部１２を介して表示部２０１にその旨の表示を行わせる。
【００８９】
無線通信制御部９は、ＣＰＵ（Central Processing Unit）、ＲＯＭ（Read Only Memory）及びＲＡＭ（Random Access Memory）を備えたマイクロコンピュータからなる制御器９１と、ＥＥＰＲＯＭ９２と、コンパンダ９３と、ＲＦモジュール９４とを備えている。
【００９０】
ＥＥＰＲＯＭ９２には、コードレス子機３のＩＤ（例えば、子機番号など）番号など、コードレス子機３との無線通信に必要なデータが記憶される。コンパンダ９３は、親機２から子機３への送信信号を生成するためにＲＦモジュール９４に変調信号として音声信号やデータ信号を入力したり、ＲＦモジュール９４で受信され、復調された子機３からの音声信号を主制御部１３に出力し、データ信号を制御器９１に出力したりする。
【００９１】
親機２から子機３へのデータ信号には、子機３との通信を確立するためのデータ信号や子機３の表示部３０４に表示させるデータ信号（例えば、親機２の動作状態の情報やナンバーディスプレイ機能を有している場合は相手先の電話番号の情報など）が含まれる。親機２の動作状態の情報などの親機２が情報源となる情報は制御器９１が主制御部１３から取得し、制御器９１からコンパンダ９３に入力される。一方、内線通話若しくは外線通話における親機２からの音声信号は、主制御部１３から直接コンパンダ９３に入力される。逆に、コンパンダ９３から出力されるデータ信号は制御器９１に入力され、必要に応じて制御器９１から主制御部１３に転送される。また、コンパンダ９３から出力される音声信号は直接主制御部１３に入力される。
【００９２】
ＲＦモジュール９４は、親機２から子機３に音声信号やデータ信号を送信するための送信回路と子機３からの音声信号やデータ信号を親機２で受信するための受信回路を有している。送信回路は３８０ＭＨｚ帯の８９個の搬送周波数を生成可能になされ、これらの搬送周波数のうち、２個の搬送周波数（以下、これらの搬送周波数を「第１制御チャネル」という。）でデータ信号が送信され、他の搬送周波数（以下、これらの搬送周波数を「第１通話チャネル」という。）で音声信号が送信される。すなわち、ＲＦモジュール９４は２個の第１制御チャネルのうち、空きチャネルを選択し、その第１制御チャネルをコンパンダ９３からのデータ信号で変調してアンテナ２１０から子機３に向けて送信し、８７個の第１通話チャネルのうち、空きチャネルを選択し、その第１通話チャネルをコンパンダ９４からの音声信号で変調してアンテナ２１０から子機３に向けて送信する。
【００９３】
受話回路は２８０ＭＨｚ帯の８９個の搬送周波数を受信可能になされ、これらの搬送周波数のうち、２つの搬送周波数（以下、これらの搬送周波数を「第２制御チャネル」という。）で子機３から送信されるデータ信号が受信され、他の搬送周波数（以下、これらの搬送周波数を「第２通話チャネル」という。）で子機３から送信される音声信号が受信される。すなわち、ＲＦモジュール９４は、子機３から送信される第２制御チャネルを受信し、データ信号を復調してコンパンダ９３に入力する。また、ＲＦモジュール９４は、子機３から送信される第２通話チャネルを受信し、音声信号を復調してコンパンダ９３に入力する。コンパンダ９３は、ＲＦモジュール９４から入力されるデータ信号を制御器９１に入力する一方、ＲＦモジュール９４から入力される音声信号を主制御部１３に転送する。
【００９４】
表示制御部１２は、主制御部１３から入力される情報（コードデータ）の表示部２０１への表示を制御する。表示制御部１２は、コードデータをカタカナ文字、英文字、数字及び絵文字のキャラクタデータに変換するテーブルを有し、主制御部１３から入力されるコードデータをカタカナ文字等に変換し、主制御部１３から入力される制御信号に基づいて表示部２０１の指定された表示位置に表示させる。
【００９５】
主制御部１３は、操作部２１１〜２１３からの入力情報に基づき画像読取部５〜表示制御部１２の各部の動作を複合的に制御し、ファクシミリ機能、プリンタ機能、コピー機能、スキャナ機能、フォトメディアキャプチャ機能及びコードレス電話機能の各機能を実現する。主制御部１３は、ＣＰＵ、ＲＯＭ及びＲＡＭを備えたマイクロコンピュータからなる。
【００９６】
ＲＯＭには、ファクシミリモード、プリンタモード、コピーモード、スキャナモード、フォトメディアキャプチャモード、及びコードレス子機３若しくは親機２の電話機２１９による通話モードの各動作モードにおける処理プログラムとその処理に必要なデータとが記憶されている。ＲＡＭは、ＣＰＵがＲＯＭの記憶された処理プログラムに基づいて演算処理を行うための作業メモリとして使用される。なお、図３では、ＲＡＭとは別にデータ記憶部８を記載しているが、データ記憶部８を主制御部１３のＲＡＭ内に設けてもよい。
【００９７】
主制御部１３は、ファクシミリモードが設定されていると、画像読取部５、画像記録部６、ファクシミリ通信制御部７及びデータ記憶部８の各部の動作を制御してファクシミリ機能を達成し、コピーモードが設定されていると、画像読取部５、画像記録部６及びデータ記憶部８の各部の動作を制御してコピー機能を達成する。また、主制御部１３は、スキャナモードが設定されていると、画像読取部５及びデータ記憶部８の各部の動作を制御してスキャナ機能を達成し、フォトメディアキャプチャモードが設定されていると、メディア読取部１０、データ記憶部８及び画像記録部６の各部の動作を制御してフォトメディアキャプチャ機能を達成する。また、主制御部１３は、ＰＣ通信制御部１１、データ記憶部８及び画像記録部６の各部の動作を制御してプリンタ機能を達成し、無線通信制御部９及びファクシミリ通信制御部７の各部の動作を制御してコードレス子機による通話機能を達成する。
【００９８】
コードレス子機３の機能ブロックには、親機２との無線通信及び通話を制御する無線通信制御部１５、表示部３０４への情報の表示を制御する表示制御部１６、操作部３０５からの入力情報に基づき無線通信制御部１５及び表示制御部１６の各部の動作を統括制御する制御部１７が含まれる。
【００９９】
無線通信制御部１５は、ＣＰＵ、ＲＯＭ及びＲＡＭを備えたマイクロコンピュータからなる制御器１５１と、ＥＥＰＲＯＭ１５２と、コンパンダ１５３と、ＲＦモジュール１５４とを備えている。制御器１５１〜ＲＦモジュール１５４の機能は、基本的に親機の無線通信制御部９における制御器９１〜ＲＦモジュール９４の機能と同一であるので、詳細説明は省略する。なお、ＲＦモジュール１５４の送信回路は、２８０ＭＨｚ帯の８９個の搬送周波数を生成可能になされ、第２制御チャネルでデータ信号を親機２に送信し、第２通話チャネルで音声信号を親機２に送信する。また、ＲＦモジュール１５４の受信回路は、３８０ＭＨｚ帯の８９個の搬送周波数を受信可能になされ、第１制御チャネルで親機２からのデータ信号を受信し、第２通話チャネルで親機２からの音声信号を受信する。
【０１００】
表示制御部１６は、制御部１７から入力される情報（コードデータ）の表示部３０４への表示を制御する。表示制御部１６は、コードデータをカタカナ文字、英文字、数字及び絵文字のキャラクタデータに変換するテーブルを有し、制御部１７から入力されるコードデータをカタカナ文字等に変換し、制御部１７から入力される制御信号に基づいて表示部３０４の指定された表示位置に表示させる。
【０１０１】
次に、本発明に係る装置本体２の動作状態を子機３毎に選択的に表示させる処理について説明する。
【０１０２】
まず、装置本体２側で、子機３毎に表示させる動作状態の項目を設定する処理手順について、図４のフローチャートを用いて説明する。なお、図４のフローチャートでは、（ａ）記録紙無し、（ｂ）記録紙ジャム、（ｃ）インク残量少、（ｄ）インク残留無し、（ｅ）メモリフル、（ｆ）マシンエラー、（ｇ）留守録受信、（ｈ）ファクシミリ受信完了、（ｉ）ファクシミリ受信エラー、（ｊ）ファクシミリ送信完了及び（ｋ）ファクシミリ送信エラーの１１個の項目について、各子機３の表示部３０４に表示させるか否かを選択設定する場合を例に説明する。
【０１０３】
ここに、（ａ）記録紙無し〜（ｋ）ファクシミリ送信エラーの各項目は、
（ａ）記録紙無し：給紙トレイ２０５に積載された記録紙Ｐが無くなったこと
（ｂ）記録紙ジャム：用紙ジャムＡ又は用紙ジャムＢが発生したこと
（ｃ）インク残量少：マゼンタ，シアン，イエロー，ブラックのインクタンクのいずれかのインク残量が所定の閾値域になったこと
（ｄ）インク残量無し：マゼンタ，シアン，イエロー，ブラックのインクタンクのいずれかのインク残量が完全になくなったこと
（ｅ）メモリフル：データ記憶部８の空き容量がなくなったこと
（ｆ）マシンエラー：装置本体２の機械的構成に損傷が生じたこと
（ｇ）留守録受信：相手先からの伝言メッセージをデータ記憶部８に留守録動作したこと
（ｈ）ファクシミリ受信完了：ファクシミリデータを正常に受信したこと
（ｉ）ファクシミリ受信エラー：ファクシミリデータを受信したが、エラーとなったこと
（ｊ）ファクシミリ送信完了：ファクシミリデータを正常に受信したこと
（ｋ）ファクシミリ送信エラー：ファクシミリデータを送信したが、エラーとなったこと
を子機３でユーザに通知することを示す。
【０１０４】
ユーザがメニュー／セットボタン２１３ａを押下げて表示部２０１にメニュー画面を表示させ、十字キー２１４によって「装置本体の動作状態の表示項目の設定」を選択し、メニュー／セットボタン２１３ａを押下げてその選択項目を確定すると、図４の処理が実行される。
【０１０５】
最初に、表示部２０１の表示画面の１行目に「子機の選択」のタイトルが表示され、２行目に「子機Ａ／子機Ｂ／子機Ｃ／全ての子機」の子機選択の表示が行われる（Ｓ１）。ユーザは、この表示状態で十字キー２１４の右側のキーを操作すると、反転表示が「子機Ａ」→「子機Ｂ」→「子機Ｃ」→「全ての子機」→「子機Ａ」の順に右方向にサイクリックに変化し、左側のキーを操作すると、「子機Ａ」→「全ての子機」→「子機Ｃ」→「子機Ｂ」→「子機Ａ」の順に左方向にサイクリックにする。従って、ユーザは、十字キー２１４の左右のキーを操作して所望の子機番号を反転表示させ、メニュー／セットボタン２１３ａを押下げると、その子機番号の選択が確定される（Ｓ２）。例えば、「子機Ａ」を反転表示させ、メニュー／セットボタン２１３ａが押下げられると、子機Ａが選択され、以下、ステップＳ３〜Ｓ２５で子機Ａに対する装置本体２の動作状態の項目の選択設定処理が行われる。
【０１０６】
なお、この実施例では、予め選択対象となる３台の子機３が表示され、その表示の中から所望の子機３を選択するようにしているが、子機Ｎｏ．を入力させるようにしてもよい。このようにすると、３台の子機３のうち、任意の組み合わせの２台の子機３の選択操作や全子機３の選択操作も容易に行うことができる。
【０１０７】
すなわち、動作状態の項目設定の対象となる子機Ａの選択が行われると、続いて、表示部２０１の表示画面の１行目に「記録紙無し時の通知」のタイトルが表示され、２行目に子機Ａに表示させるか否かを設定するための「行う／行わない」の表示が行われる（Ｓ３）。この表示状態で十字キー２１４の左右のキーが操作されると、反転表示が「行う」→「行わない」→「行う」の順に左右方向にサイクリックに変化するので、ユーザは、十字キー２１４の左右のキーを操作して所望の動作を反転表示させ、メニュー／セットボタン２１３ａを押下げることにより、子機Ａで「録紙無し時の通知を行うか否かが設定される（Ｓ４）。例えば、「行う」を反転表示させ、メニュー／セットボタン２１３ａが押下げられると、子機Ａで録紙無し時の通知を行うことが設定される。
【０１０８】
以下、同様の方法で、「記録紙ジャム時の通知」、「インク残量少時の通知」、「インク残量無し時の通知」、「メモリフル時の通知」、「マシンエラー時の通知」、「留守録受信時の通知」、「ファクシミリ受信完了時の通知」、「ファクシミリ受信エラー時の通知」、「ファクシミリ送信完了時の通知」及び「ファクシミリ送信エラー時の通知」のタイトル表示と「行う／行わない」の選択表示とがこの順で表示部２０１に表示され（Ｓ５，Ｓ７，Ｓ９，Ｓ１１，Ｓ１３，Ｓ１５，Ｓ１７，Ｓ１９，Ｓ２１，Ｓ２３）、ユーザは、各表示に対して上述した十字キー２１４の左右キーとメニュー／セットボタン２１３ａの操作を繰り返すことにより、各項目について子機Ａで表示させるか否かを設定する（Ｓ６，Ｓ８，Ｓ１０，Ｓ１２，Ｓ１４，Ｓ１６，Ｓ１８，Ｓ２０，Ｓ２２，Ｓ２４）。この設定された内容は主制御部１３内のＲＡＭに記憶される。
【０１０９】
そして、最後の「ファクシミリ送信エラー時の通知」について、ユーザにより表示させるか否かの設定が行われると、表示部２０１の表示画面に所定の時間（例えば、５秒程度）だけ「状態通知の設定を完了しました」が表示され（Ｓ２５）、子機３毎に表示させる動作状態の項目を設定する処理を終了する。
【０１１０】
次に、子機３側で、子機３毎に表示させる動作状態の項目を設定する処理手順について、図５のフローチャートを用いて説明する。
【０１１１】
図５に示す処理手順は、基本的に図４に示した処理手順と同様である。図４の処理手順と異なるのは、ステップＳ１，Ｓ２に相当する処理がなく、メニュー画面から「装置本体の動作状態の表示項目の設定」が選択されたときに、設定可能な表示項目の情報、すなわわち、「記録紙無し時の通知」、「記録紙ジャム時の通知」、「インク残量少時の通知」、「インク残量無し時の通知」、「メモリフル時の通知」、「マシンエラー時の通知」、「留守録受信時の通知」、「ファクシミリ受信完了時の通知」、「ファクシミリ受信エラー時の通知」及び「ファクシミリ送信完了時の通知」の項目の情報を装置本体２から取得する処理（Ｓ３１）と、子機３で設定された内容を装置本体２に送信する処理（Ｓ５４）が追加されている点である。
【０１１２】
ステップＳ１，Ｓ２に相当する処理（子機３を選択する処理）を設けていないのは、子機３側では、自機に対して表示すべき装置本体２の動作状態の項目を設定すれば足りるからである。なお、子機３側にもステップＳ１，Ｓ２に相当する処理を設け、他の子機３に対して表示すべき装置本体２の動作状態の項目を設定できるようにしてもよい。
【０１１３】
子機３では、装置本体２から動作状態の項目設定のための情報を取得する処理を設けているのは、子機３が増設される装置本体２の複合機能が多種多様で、子機３で表示可能な項目も増設される装置本体２によって変化することや機種によってはコードレス子機を増設できない場合もあるからである。
【０１１４】
子機３では、装置本体２から動作状態の項目設定のための情報が受信されると、装置本体２の場合と同様に、「記録紙ジャム時の通知」、「インク残量少時の通知」、「インク残量無し時の通知」、「メモリフル時の通知」、「マシンエラー時の通知」、「留守録受信時の通知」、「ファクシミリ受信完了時の通知」、「ファクシミリ受信エラー時の通知」、「ファクシミリ送信完了時の通知」及び「ファクシミリ送信エラー時の通知」のタイトル表示と「行う／行わない」の選択表示とがこの順で表示部３０４に表示される（ステップＳ３２，Ｓ３４，Ｓ３６，Ｓ３８，Ｓ４０，Ｓ４２，Ｓ４４，Ｓ４６，Ｓ４８，Ｓ５０，Ｓ５２）。
【０１１５】
子機３では、十字キー３０６の左右のキーが装置本体２の十字キー２１４に対応し、メニュー／セットボタン３０８ａが装置本体２のニュー／セットボタン２１３ａに対応するから、表示部３０４に各選択項目が表示される毎に、ユーザにより十字キー３０６の左右キーとメニュー／セットボタン３０８ａの操作が繰り返されて、各項目について子機３で表示させるか否かが設定される（Ｓ３３，Ｓ３５，Ｓ３７，Ｓ３９，Ｓ４１，Ｓ４３，Ｓ４５，Ｓ４７，Ｓ４９，Ｓ５１，Ｓ５３）。
【０１１６】
そして、最後の「ファクシミリ送信エラー時の通知」について、ユーザにより表示させるか否かの設定が行われると、設定された内容が装置本体２に送信された後（Ｓ５４）、表示部３０４の表示画面に所定の時間（例えば、５秒程度）だけ「状態通知の設定を完了しました」が表示され（Ｓ５５）、子機３での表示すべき動作状態の項目を設定する処理を終了する。なお、装置本体２では、子機３から送信された動作状態の表示項目に関する設定情報が主制御部１３のＲＡＭに記憶される。
【０１１７】
次に、装置本体２で（ａ）記録紙無し〜（ｋ）ファクシミリ送信エラーの項目の状態が発生したときの処理手順について説明する。なお、説明を簡単にするため、以下の説明では、「記録紙無し時の通知」の項目が発生したときと「ファクシミリ受信完了時の通知」の項目が発生したときの例について、図６〜図１２のフローチャートを用いて説明する。
【０１１８】
図６は、装置本体２で画像記録動作中に記録紙無しの状態が発生したときの基本的に処理手順を示すフローチャートである。
【０１１９】
ファクシミリモード（受信モード）、コピーモード、プリントモード又はフォトメディアキャプチャモードにおいて、画像形成処理をしている途中で給紙トレイ２０５に積載された記録紙Ｐが無くなったことが検出されると（Ｓ６１）、主制御部１３のＲＡＭに記憶されている各子機３の「記録紙無し時の通知」に関する設定内容が参照され（Ｓ６２，Ｓ６４，Ｓ６６）、「記録紙無し時の通知を行う」が設定されている子機３があれば（Ｓ６２，Ｓ６４，Ｓ６６のいずれかでＹＥＳ）、その子機３に対して親機２から「記録紙無し」の情報が通知される。
【０１２０】
例えば、３台の子機３のうち、子機番号Ｎｏ．１（子機Ａ）についてのみ記録紙無し時の通知を行う設定が行われ、他の子機３（子機Ｂ，Ｃ）については記録紙無し時の通知を行う設定が行われていない場合、ステップＳ６２でステップＳ６３に移行し、子機Ａに対して記録紙無し時の通知が行われる。
【０１２１】
図７は、装置本体から子機に「記録紙無し」の情報が通知された場合の子機側の受信処理を示すフローチャートである。
【０１２２】
親機２では、「記録紙無し」の状態が発生すると、子機Ａとの通信回線を確立し、「記録紙無し」のデータが送信される。子機Ａでは、待機状態で親機２から通信回線の確立の要求があると、その要求に応じ、親機２から「記録紙無し」のデータを受信する（Ｓ７１）。続いて、子機Ａでは、親機２から当該親機２の動作状態の情報を受信すると、ユーザにその旨を報知するべくスピーカ３０２から着信時の鳴動音とは異なる所定の警告音が発生される（Ｓ７２）と同時に、表示部３０４に親機２から送信された動作状態の内容が表示される（Ｓ７３）。例えば、図８に示すように、表示部３０４に「キロクシガナクナリマシタ」と「キロクシヲホジュウシテクダサイ」の文字が２段に表示されるとともに、所定のピクトが最下段に表示される。なお、警告音に代えて、音声で「キロクシガナクナリマシタ  キロクシヲホジュウシテクダサイ」のメッセージを発音させるようにしてもよい。
【０１２３】
この警告表示に対しては、ユーザが警告表示を消去する所定のボタン操作をするまで継続しても良く、ピクト表示だけを残して一定時間後に文字表示だけを消去するようにしてもよい。なお、親機２で、その後記録紙の補充が行われ、記録紙無しの状態が解消した場合は、親機２から子機Ａにその旨の情報が送信される。従って、その時まで表示部３０４に警告表示が継続している場合は、親機２からの記録紙無し解消の情報によって警告表示は自動的に消去されることは言うまでもない。
【０１２４】
図９は、装置本体２で、ファクシミリモードで待機中に相手先のファクシミリ装置からファクミリデータの送信があり、そのファクシミリデータを正常に受信したときの基本的に処理手順を示すフローチャートである。
【０１２５】
ファクシミリモードで待機中に相手先のファクシミリ装置からファクミリデータの送信があり、そのファクシミリデータが正常に受信されると（Ｓ８１）、主制御部１３のＲＡＭに記憶されている各子機３の「ファクシミリ受信完了時の通知」に関する設定内容が参照され（Ｓ８２，Ｓ８４，Ｓ８６）、「ファクシミリ受信完了時の通知を行う」が設定されている子機３があれば（Ｓ８２，Ｓ８４，Ｓ８６のいずれかでＹＥＳ）、その子機３に対して親機２から「ファクシミリ受信完了」の情報が通知される。
【０１２６】
例えば、３台の子機３のうち、子機番号Ｎｏ．１（子機Ａ）と子機番号Ｎｏ．２（子機Ｂ）についてファクシミリ受信完了時の通知を行う設定が行われ、他の子機Ｎｏ．３（子機Ｃ）についてはファクシミリ受信完了時の通知を行う設定が行われていない場合、ステップＳ８２とステップＳ８４でそれぞれステップＳ８３とステップＳ８５に移行し、子機Ａ，Ｂに対してファクシミリ受信完了時の通知が行われる。
【０１２７】
図１０は、装置本体から子機に「ファクシミリ受信完了」の情報が通知された場合の子機側の受信処理を示すフローチャートである。
【０１２８】
親機２では、相手先のファクシミリ装置からファクミリデータの送信があり、そのファクシミリデータが正常に受信されると、子機Ａとの通信回線を確立し、「ファクシミリ受信完了」のデータが送信される。子機Ａでは、待機状態で親機２から通信回線の確立の要求があると、その要求に応じ、親機２から「ファクシミリ受信完了」のデータを受信する（Ｓ９１）。続いて、子機Ａでは、親機２から当該親機２の動作状態の情報を受信すると、ユーザにその旨を報知するべくスピーカ３０２から着信時の鳴動音とは異なる所定の警告音が発生される（Ｓ９２）と同時に、表示部３０４に親機２から送信された動作状態の内容が表示される（Ｓ９３〜Ｓ９５）。
【０１２９】
この場合、親機２から送信された動作状態の内容に差出人の情報が含まれていない場合は（Ｓ９３：ＮＯ）、ファクシミリデータの受信があったこととその受信日時を示す情報が表示部３０４に表示される（Ｓ９５）。例えば、図１１に示すように、表示部３０４の１行目に「ＦＡＸヲジュシンシマシタ」の文字（ファクシミリデータの受信があったことの情報）が表示され、２行目に「０５／１２  １５：２２」の文字（ＦＡＸ受信日時の情報）に表示される。
【０１３０】
一方、親機２から送信された動作状態の内容に差出人の情報が含まれている場合は（Ｓ９３：ＹＥＳ）、ファクシミリデータの受信があったことと差出人を示す情報が表示部３０４に表示される（Ｓ９４）。例えば、図１２に示すように、表示部３０４の１行目に「ＦＡＸヲジュシンシマシタ」の文字（ファクシミリデータの受信があったことの情報）が表示され、２行目に「サシダシニン：ヤマダタロウ」の文字（差出人の情報）に表示される。
【０１３１】
この表示に対しては、ユーザが表示を消去する所定のボタン操作をするまで継続しても良く、一定時間後に表示を消去するようにしてもよい。なお、ファクシミリ受信完了通知の場合も警告音に代えて、音声で「ファクシミリヲジュシンシマシタ」などのメッセージを発音させるようにしてもよい。
【０１３２】
上記実施例では、「記録紙無し」の通知と「ファクシミリ受信完了」の通知の場合について子機での表示制御を説明したが、他の表示項目についても基本的に「記録紙無し」や「ファクシミリ受信完了」の表示項目の処理手順と同一である。
【０１３３】
上記のように、本実施形態に係るコードレス子機付きファクシミリ装置１によれば、装置本体２のエラー発生やファクシミリ送受信完了、留守録受信などの各種の動作状態のうち、ユーザが所望の動作状態を選択して子機３毎に表示させることができるようにしているので、各子機３を使用するユーザは、装置本体２から離れた場所で当該装置本体２の所望の動作状態を容易に確認することができる。
【０１３４】
また、装置本体２と子機３のいずれからでも子機３に表示すべき動作状態の項目を設定することができるので、容易にその動作状態の項目を設定することができる。
【０１３５】
なお、「記録紙ジャム」、「インク残量少」、「インク無し」、「メモリフル」、「マシンエラー」などの親機２の動作異常に関する情報については、具体的な異常内容や不都合な内容についても親機２の表示部２０１で表示させる場合、同様の内容を子機３の表示部３０４にも表示させるようにしてもよく、子機３では異常が発生したことや不都合な状態になっていることだけを表示させるようにしてもよい。例えば、「記録紙ジャム」の場合、用紙ジャムＡ，Ｂのいずれであるのかまで親機２の表示部２０１に表示させる場合、子機３の表示部３０４にも同様の内容を表示させても良く、子機３には用紙ジャム発生のみを表示させるようにしてもよい。
【０１３６】
同様に、「マシンエラー」についても、エラー発生箇所が画像読取部５、画像記録部６、ファクシミリ通信制御部７、無線通信制御部９、メディア読取部１０などの各部のどの部分であるのかの情報まで表示させるようにしてもよい。上記実施形態では言及していないが、画像記録部６にノズル詰まりが発生したことを検出し、それを子機３に表示させても良く、更にノズル詰まりを清掃する清掃機構を備えている場合は、ノズル詰まりを清掃機構によって解消したことの情報を子機３に表示させるようにしてもよい。
【０１３７】
また、「インク残量少」や「メモリ残量少」などの不都合が生じる恐れを通知する情報については、インク残量やメモリ残量が何％であるのかなどの情報を表示させるようにしてもよい。また、上記実施形態では、画像記録部６としてインクジェット方式の画像記録装置について説明したが、本発明は、インクジェット方式以外の画像記録装置、例えばトナーを用いた静電写真方式の画像記録装置であっても適用できることは言うまでもない。
【０１３８】
また、データ記憶部８に代行受信機能によって受信された複数の画像データが記憶され、記録紙への出力処理を待っている状態やデータ記憶部８にメモリ送信機能によって複数の画像データが記憶され、相手先のファクシミリ装置への送信処理を待っている状態（未処理ジョブ状態）についても、その未処理ジョブ状態を子機３に表示させるようにしてもよい。
【０１３９】
なお、「ファクシミリ受信完了」の通知においては、上述したメニュー画面によらず、電話帳登録において差出人によってどの子機に通知するかを設定できるようにしてもよい。
【０１４０】
また、上記実施形態では、プリンタ機能、コピー機能、スキャナ機能、ファクシミリ機能及びフォトメディアキャプチャ機能を備えたコードレス子機付きファクシミリ装置について説明したが、本発明は、これらの機能を全て備えた複合機に適用すべきものではなく、装置本体２の機能は、少なくともファクシミリ機能とコードレス電話機能を備えていればよい。
【図面の簡単な説明】
【０１４１】
【図１】本発明に係るコードレス子機付きファクシミリ装置の概観を示す斜視図である。
【図２】図１のＩ−Ｉ線に沿う要部断面図である。
【図３】本発明に係るコードレス子機付きファクシミリ装置の構成を機能ブロックで表した図である。
【図４】装置本体でコードレス子機毎に表示すべき動作状態の項目を設定する処理手順を示すフローチャートである。
【図５】コードレス子機毎に当該コードレス子機に表示すべき動作状態の項目を設定する処理手順を示すフローチャートである。
【図６】装置本体で画像記録動作中に記録紙無しの状態が発生したときの基本的に処理手順を示すフローチャートである。
【図７】装置本体から子機に「記録紙無し」の情報が通知された場合の子機側の受信処理を示すフローチャートである。
【図８】子機での「記録紙無し」の警告表示の一例を示す図である。
【図９】装置本体で、ファクシミリモードで待機中に相手先のファクシミリ装置からファクミリデータの送信があり、そのファクシミリデータを正常に受信したときの基本的に処理手順を示すフローチャートである。
【図１０】装置本体から子機に「ファクシミリ受信完了」の情報が通知された場合の子機側の受信処理を示すフローチャートである。
【図１１】子機での「ファクシミリ受信完了（差出人無し）」を報知する表示の一例を示す図である。
【図１２】子機での「ファクシミリ受信完了（差出人有り）」を報知する表示の一例を示す図である。
【符号の説明】
【０１４２】
１  コードレス子機付きファクシミリ装置
２  装置本体
２０１  表示部
２０２  操作パネル
２０３  蓋体
２０４  原稿載置面
２０５  給紙トレイ
２０６  メディア装着部
２０７  排紙トレイ
２０８  載置台
２０９  電話機
２１０  アンテナ
２１１  操作部
２１２  操作部
２１３  操作部
２１４  十字キー
２１５  画像読取装置
２１７  イメージスキャナ
２１８  用紙搬送機構
２１９  画像記録装置
２２１  反転ガイド部
２２２  レジストローラ
２２３  排紙ローラ
２２４  給紙センサ
２２５  プラテン
２２６  プリントヘッド
２２７  排紙センサ
３  コードレス子機
３０１  子機本体
３０２  スピーカ
３０３  マイク
３０４  表示部
３０５  操作部
４  子機充電台
５  画像読取部
６  画像記録部
７  ファクシミリ通信制御部
８  データ記憶部
９  無線通信制御部（親機側）
９１  制御器（親機側）
９２  ＥＥＰＲＯＭ（親機側）
９３  コンパンダ（親機側）
９４  ＲＦモジュール（親機側）
１０  メディア読取部
１１  通信制御部
１２  表示制御部（親機側）
１３  主制御部（親機側）
１４  電話回線
１５  無線通信制御部（子機側）
１５１  制御器（子機側）
１５２  ＥＥＰＲＯＭ（子機側）
１５３  コンパンダ（子機側）
１５４  ＲＦモジュール（子機側）
１６  表示制御部（子機側）
１７  制御部（子機側）
【図１】
2007006329.tif 000003
【図２】
2007006329.tif 000004
【図３】
2007006329.tif 000005
【図４】
2007006329.tif 000006
【図５】
2007006329.tif 000007
【図６】
2007006329.tif 000008
【図７】
2007006329.tif 000009
【図８】
2007006329.tif 000010
【図９】
2007006329.tif 000011
【図１０】
2007006329.tif 000012
【図１１】
2007006329.tif 000013
【図１２】
2007006329.tif 000014